(57)【要約】【課題】洋式トイレの便器本体と便座との前部隙間から外に尿が漏れ出るのを防ぐことができ、低コストで使用可能で、トイレの掃除がしやすい便器の尿漏れ防止具を提供する。【解決手段】カバー１１が、洋式トイレ１の便器本体２および便座３の前部内周面に沿って、便器本体２および便座３の前部隙間４を覆うよう設けられている。フック１２が、カバー１１と一体的に設けられ、前部隙間４を覆う位置にカバー１１を配置して便座３の縁に引っ掛け可能となっている。【選択図】図３
0003182925.tif 000002
【実用新案登録請求の範囲】
【請求項１】
洋式トイレの便器本体と便座との前部隙間から外に尿が漏れ出るのを防ぐための便器の尿漏れ防止具であって、
前記便器本体および前記便座の前部内周面に沿って前記前部隙間を覆うためのカバーと、
前記カバーと一体的に設けられ、前記前部隙間を覆う位置に前記カバーを配置して前記便座の縁に引っ掛け可能なフックとを、
有することを特徴とする便器の尿漏れ防止具。
【請求項２】
前記フックは前記便座の形状に合わせて変形可能であることを特徴とする請求項１記載の便器の尿漏れ防止具。
【請求項３】
防水性の板材から成ることを特徴とする請求項１または２記載の便器の尿漏れ防止具。
【考案の詳細な説明】
【技術分野】
【０００１】
本考案は、洋式トイレの便器本体と便座との前部隙間から外に尿が漏れ出るのを防ぐための便器の尿漏れ防止具に関する。
【背景技術】
【０００２】
一般的な洋式トイレでは、便器本体と便座との間に隙間があるため、主に男性が座って排尿するとき、尿がその前部隙間から便器の外に飛び散り、衣服や便器の外側、トイレの床などを汚してしまうという問題があった。そこで従来、便座の下面に突起を一体的に設けて、便器本体と便座との前部隙間を塞ぐよう構成された便座が提案されている（例えば、特許文献１参照）。
【先行技術文献】
【特許文献】
【０００３】
【特許文献１】実用新案登録第３１４３７４３号公報
【考案の概要】
【考案が解決しようとする課題】
【０００４】
しかしながら、特許文献１に記載の従来の便座は、既存の洋式トイレで使用するためには、便座または便器全体を交換する必要があり、コストが嵩むという課題があった。また、便座と一体的に突起が設けられているため、掃除しにくいという課題もあった。
【０００５】
本考案は、このような課題に着目してなされたもので、洋式トイレの便器本体と便座との前部隙間から外に尿が漏れ出るのを防ぐことができ、低コストで使用可能で、トイレの掃除がしやすい便器の尿漏れ防止具を提供することを目的とする。
【課題を解決するための手段】
【０００６】
上記目的を達成するために、本考案に係る便器の尿漏れ防止具は、洋式トイレの便器本体と便座との前部隙間から外に尿が漏れ出るのを防ぐための便器の尿漏れ防止具であって、前記便器本体および前記便座の前部内周面に沿って前記前部隙間を覆うためのカバーと、前記カバーと一体的に設けられ、前記前部隙間を覆う位置に前記カバーを配置して前記便座の縁に引っ掛け可能なフックとを、有することを特徴とする。
【０００７】
本考案に係る便器の尿漏れ防止具は、便器本体と便座との前部隙間を覆う位置にカバーを配置して、フックを洋式トイレの便座の縁に引っ掛けて使用される。このとき、カバーが便器本体および便座の前部内周面に沿って、便器本体と便座との前部隙間を覆うため、男性が便座に座って排尿する際にその前部隙間から外に尿が漏れ出るのを防ぐことができる。本考案に係る便器の尿漏れ防止具は、フックで容易に取り付け、取り外しができる。このため、便座や便器本体を交換することなく、既存の洋式トイレにも容易に使用することができ、低コストである。また、使用後に取り外して洗浄することができ、トイレの掃除もしやすい。
【０００８】
本考案に係る便器の尿漏れ防止具で、前記フックは、前記便座の形状に合わせて変形可能であることが好ましい。この場合、やや形状が異なる様々な洋式トイレに使用することができる。また、本考案に係る便器の尿漏れ防止具は、防水性の板材から成ることが好ましい。この場合、洗浄が容易で、傷みにくく、繰り返し使用することができる。本考案に係る便器の尿漏れ防止具は、両面テープや接着材などの粘着剤により、便座に固定して使用されてもよい。この場合、便座を上げたときにも外れず、便座に固定したままにしておくことができる。
【考案の効果】
【０００９】
本考案によれば、洋式トイレの便器本体と便座との前部隙間から外に尿が漏れ出るのを防ぐことができ、低コストで使用可能で、トイレの掃除がしやすい便器の尿漏れ防止具を提供することを目的とする。
【図面の簡単な説明】
【００１０】
【図１】本考案の実施の形態の便器の尿漏れ防止具の（ａ）正面図、（ｂ）平面図、（ｃ）右側面図である。
【図２】図１に示す便器の尿漏れ防止具の、折り曲げ加工前の板材を示す平面図である。
【図３】図１に示す便器の尿漏れ防止具の使用状態を示す（ａ）斜視図、（ｂ）側面図である。
【考案を実施するための形態】
【００１１】
以下、図面に基づき本考案の実施の形態について説明する。
図１乃至図３は、本考案の実施の形態の便器の尿漏れ防止具を示している。
図１に示すように、本考案の実施の形態の便器の尿漏れ防止具１０は、カバー１１とフック１２とを有している。
【００１２】
図１に示すように、カバー１１は、概ね横長の矩形板から成り、洋式トイレ１の便器本体２および便座３の前部内周面に沿うよう、縦方向の軸を中心として、緩やかに円弧状に湾曲した形状を成している。カバー１１は、４隅が面取りされている。カバー１１は、上縁が左右から中心部に向かって緩い上向き傾斜を成すよう形成されている。フック１２は、カバー１１の上縁の中心部から、カバー１１の後方に向かって伸びるよう設けられている。フック１２は、先端が下方に折り曲げられて鉤状に形成されている。
【００１３】
便器の尿漏れ防止具１０は、防水性のアルミニウム製の板材２０を図２に示す形状に切断加工し、それぞれカバー１１に該当する部分２１およびフック１２に該当する部分２２を、図１に示す形状になるよう折り曲げ加工して形成されている。このように、カバー１１とフック１２とは、一体的に設けられている。なお、具体的な一例では、便器の尿漏れ防止具１０は、図２に示す板材２０の折り曲げ加工前の形状で、カバー１１に該当する部分２１の長さが１４ｃｍ、幅が５．５〜７ｃｍ、フック１２に該当する部分２２の長さが９ｃｍ、幅が３ｃｍである。また、小型タイプの一例では、カバー１１に該当する部分２１の長さが１２ｃｍ、幅が６ｃｍ、フック１２に該当する部分２２の長さが８ｃｍ、幅が３ｃｍである。しかしながら、サイズはそれらの例に限定されるものではなく、洋式トイレのサイズなどに合わせて種々のサイズが可能である。
【００１４】
図３に示すように、フック１２は、前部隙間４を覆う位置にカバー１１を配置して便座３の縁に引っ掛け可能に構成されている。カバー１１は、洋式トイレ１の便器本体２および便座３の前部内周面に沿って配置される。
【００１５】
次に、作用について説明する。
便器の尿漏れ防止具１０は、図３に示すように、便器本体２と便座３との前部隙間４を覆う位置にカバー１１を配置して、フック１２を洋式トイレ１の便座３の縁に引っ掛けて使用される。フック１２を洋式トイレ１の便座３に引っ掛けたとき、カバー１１が便器本体２および便座３の前部内周面に沿って、便器本体２と便座３との前部隙間４を覆う。このため、男性が便座３に座って排尿する際にその前部隙間４から尿が漏れ出るのを防ぐことができる。便器の尿漏れ防止具１０は、フック１２で容易に取り付け、取り外しができる。このため、便座３や便器本体２を交換することなく、既存の洋式トイレ１にも容易に使用することができ、低コストである。また、使用後に取り外して洗浄することができ、トイレの掃除もしやすい。
【００１６】
便器の尿漏れ防止具１０は、アルミニウム製であるため、便座３の形状に合わせてフック１２を変形させることができる。このため、やや形状が異なる様々な洋式トイレに使用することができる。便器の尿漏れ防止具１０は、板材２０を加工して容易に製造することができる。また、防水性であるため、洗浄が容易で、傷みにくく、繰り返し使用することができる。
【符号の説明】
【００１７】
１  洋式トイレ
２  便器本体
３  便座
４  前部隙間
１０  便器の尿漏れ防止具
１１  カバー
１２  フック
【図１】
0003182925.tif 000003
【図２】
0003182925.tif 000004
【図３】
0003182925.tif 000005